(57)【要約】【課題】  所望の画像を所定時間間隔で順次表示することができるデジタルフォトフレームを提供する。【解決手段】  複数の記憶装置３４，４８に記憶され、表示部６に表示可能な画像の情報を管理する管理部４０と、前記情報に基づいて前記画像を抽出する抽出部３０とを備え、前記表示部６は、抽出された前記画像を順次表示する。【選択図】  図２
2010021691.tif 000002
【特許請求の範囲】
【請求項１】
複数の記憶装置に記憶され、表示部に表示可能な画像の情報を管理する管理部と、
前記情報に基づいて前記画像を抽出する抽出部と、を備え、
前記表示部は、抽出された前記画像を順次表示することを特徴とするデジタルフォトフレーム。
【請求項２】
前記管理部は、所定時間毎に前記情報を更新することを特徴とする請求項１記載のデジタルフォトフレーム。
【請求項３】
前記管理部は、前記表示部に表示可能な画像が変更されたときに前記情報を更新することを特徴とする請求項１または請求項２記載のデジタルフォトフレーム。
【請求項４】
前記抽出部により抽出された前記画像を前記情報に基づいてグループ化するグルーピング部を備え、
前記表示部は、前記グルーピング部によりグループ化された所定グループ内の前記画像を順次表示することを特徴とする請求項１〜請求項３の何れか一項に記載のデジタルフォトフレーム。
【請求項５】
前記情報に基づいて前記画像の表示順序を設定する設定部を備え、
前記表示部は、前記表示順序に従って前記画像を順次表示することを特徴とする請求項１〜請求項４の何れか一項に記載のデジタルフォトフレーム。
【請求項６】
前記所定グループ以外の他グループの指定を行うグループ指定部を備え、
前記表示部は、前記グループ指定部により前記他グループが指定されたとき、前記所定グループ内の前記画像の表示を中止し、前記他グループ内の前記画像の表示を開始することを特徴とする請求項４または請求項５記載のデジタルフォトフレーム。
【請求項７】
前記グループ化の変更指示を行う変更指示部を備え、
前記グルーピング部は、前記変更指示がなされたとき、前記変更指示に従って前記画像をグループ化することを特徴とする請求項４〜請求項６の何れか一項に記載のデジタルフォトフレーム。
【請求項８】
前記変更指示に従ってグループ化された変更後のグループには、前記変更指示がなされた時点で前記表示部に表示されていた前記画像が含まれることを特徴とする請求項７記載のデジタルフォトフレーム。
【請求項９】
前記表示部は、前記変更後のグループ内の前記画像を表示した後、前記変更指示がなされる前に表示されていた前記所定グループ内の前記画像を表示することを特徴とする請求項７または請求項８記載のデジタルフォトフレーム。
【請求項１０】
前記表示部は、前記変更指示がなされる前、前記表示部に表示可能な画像をランダムに表示していたことを特徴とする請求項７または請求項８の何れか一項に記載のデジタルフォトフレーム。
【請求項１１】
前記表示部は、前記変更後のグループ内の前記画像の表示が終了した後、前記表示部に表示可能な画像をランダムに表示することを特徴とする請求項１０記載のデジタルフォトフレーム。
【請求項１２】
前記グルーピング部によるグループ化の履歴を記憶するグループ記憶部を備え、
前記グルーピング部は、前記グループ記憶部に記憶されている前記履歴に従って前記画像をグループ化することを特徴とする請求項４〜請求項１１の何れか一項に記載のデジタルフォトフレーム。
【請求項１３】
前記管理部に管理されている前記情報の更新履歴を記憶する更新記憶部を備え、
前記抽出部は、前記表示部に表示可能な画像が新規追加された旨の更新履歴が前記更新記憶部に記憶されている場合、新規追加された前記画像を抽出することを特徴とする請求項１〜請求項１２記載のデジタルフォトフレーム。
【請求項１４】
前記情報は、撮影日時、撮影場所、撮影シーン、イベントの種類、撮影機器、撮影レンズ及び主被写体の属性の少なくとも１つを含むことを特徴とする請求項１〜請求項１３の何れか一項に記載のデジタルフォトフレーム。
【請求項１５】
前記記憶装置は、自装置に内蔵される画像記憶部、着脱可能な記憶媒体及び外部記憶装置の少なくとも１つを含むことを特徴とする請求項１〜請求項１４の何れか一項に記載のデジタルフォトフレーム。
【発明の詳細な説明】
【技術分野】
【０００１】
本発明は、デジタルフォトフレームに関するものである。
【背景技術】
【０００２】
観賞用画像を電気的に表示する表示部を備えたデジタルフォトフレームが知られている（例えば、特許文献１参照）。
【特許文献１】特開２００１−６７００４号公報
【発明の開示】
【発明が解決しようとする課題】
【０００３】
ところで、従来のデジタルフォトフレームでは、内部メモリ、メモリカード及び他システムに記憶されている画像を横断的に所定時間間隔で順次表示することができなかった。
【０００４】
本発明の目的は、所望の画像を所定時間間隔で順次表示することができるデジタルフォトフレームを提供することである。
【課題を解決するための手段】
【０００５】
本発明のデジタルフォトフレームは、複数の記憶装置に記憶され、表示部に表示可能な画像の情報を管理する管理部と、前記情報に基づいて前記画像を抽出する抽出部とを備え、前記表示部は、抽出された前記画像を順次表示することを特徴とする。
【発明の効果】
【０００６】
本発明のデジタルフォトフレームによれば、所望の画像を所定時間間隔で順次表示することができる。
【発明を実施するための最良の形態】
【０００７】
以下、図面を参照して、本発明の第１の実施の形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。図１は、第１の実施の形態に係るＤＰＦの外観を示す斜視図である。ＤＰＦ２は、ガラスやプラスチック等からなる装置本体４を備え、装置本体４の前面には、観賞用画像や時刻等の情報を電気的に表示する表示部としてのＬＣＤパネル６が設けられている。また、装置本体４の前面には、音楽や音声が出力されるスピーカ８と図示しないＤＰＦ２の操作用リモコンから出力される赤外線を検出する赤外線検出部１０が設けられている。また、装置本体４の上面には、ＤＰＦ２の電源のオン／オフ状態を切り替える電源スイッチ１２及びＤＰＦ２の機能設定やＬＣＤパネル６の表示設定の際に使用する操作キー１４が設けられている。また、装置本体４の一方の側面には、画像や音楽等のデータが記憶されたメモリカードが挿入されるメモリカードスロット１６、ＵＳＢ機器が接続されるＵＳＢポート１８及びインターネット等のネットワークに接続するために用いられるネットワーク端子２０が設けられている。
【０００８】
図２は、第１の実施の形態に係るＤＰＦ２のシステム構成を示すブロック図である。ＤＰＦ２の各部を統括的に制御するＣＰＵ３０には、上述の赤外線検出部１０、電源スイッチ１２、操作キー１４、メモリカードスロット１６、ＵＳＢポート１８及びネットワーク端子２０が接続されている。また、ＣＰＵ３０には、画像や音楽等のデータを一時的に記憶するバッファメモリ３２、ＤＰＦ２の機能の設定、画像や音楽等のデータ及び画像の画質に関する情報が記憶される内部メモリ３４が接続されている。また、ＣＰＵ３０には、ＬＣＤパネル６に表示される画像や情報等の表示制御を行う表示制御部３６、スピーカ８から出力される音楽や音声の再生制御を行う再生制御部３８が接続されている。また、ＣＰＵ３０には、ＬＣＤパネル６に表示可能な画像に関する情報（後述する）の記憶及び管理を行う情報管理部４０が接続されている。また、図２に示すように、ＤＰＦ２は、ネットワーク端子２０を介して接続されるインターネット等のネットワーク４６上に存在するＷｅｂサーバ４８に接続されており、Ｗｅｂサーバ４８には、様々な画像が蓄積されている。
【０００９】
次に、図３のフローチャートを参照して、ＤＰＦ２においてスライドショーが行われる際の処理について説明する。スライドショーとは、ＬＣＤパネル６に複数の画像を所定時間間隔で順次表示させる機能のことである。所定時間は、変更可能に構成されており、予め設定され、内部メモリ３４に記憶されている。
【００１０】
ＣＰＵ３０は、観賞者によりＤＰＦ２の電源スイッチ１２がオンされ、操作キー１４の操作によりスライドショーの実施が選択されたことを認識すると、図４に示すようなメニュー画面をＬＣＤパネル６に表示する（ステップＳ１０）。図４に示すメニューは、スライドショーが行われる際に、ＬＣＤパネル６に表示される画像をグループ分けする条件の選択肢を示している。撮影日時については、グループ内の画像の表示順序を選択できるようにしている。例えば、「撮影日時（古い→新しい）」が選択された場合には撮影日時が古い画像から順にＬＣＤパネル６に表示され、「撮影日時（新しい→古い）」が選択された場合には撮影日時が新しい画像から順にＬＣＤパネル６に表示される。この実施の形態においては、観賞者が図４に示すメニュー画面から「撮影日時（古い→新しい）」を選択したものとして説明を行う。
【００１１】
次に、ＣＰＵ３０は、内部メモリ３４に記憶されている画像、メモリカードスロット１６に挿入されているメモリカードに記憶されている画像、ＵＳＢポート１８に接続されているＵＳＢメモリに記憶されている画像、Ｗｅｂサーバ４８に蓄積されている画像等、ＬＣＤパネル６に表示可能な画像をすべて抽出する（ステップＳ１１）。即ち、ＣＰＵ３０は、情報管理部４０に記憶されている画像に関する情報に基づいて、図５に示すように、内部メモリ３４に記憶されている画像Ａ〜Ｄ、メモリカードスロット１６に挿入されているメモリカード１６ａに記憶されている画像Ｅ〜Ｇ及びＷｅｂサーバ４８に蓄積されている画像Ｈ〜Ｊを抽出する。
【００１２】
各画像Ａ〜Ｊには、画像データと共に撮影日時、撮影場所及び撮影シーン等の画像に関する情報がタグデータとしてＥｘｉｆ（Ｅｘｃｈａｎｇａｂｌｅ  ｉｍａｇｅ  ｆｉｌｅ  ｆｏｒｍａｔ）等の所定の形式で付加されている。ここで、画像に関する情報とは、撮影日時、撮影場所、撮影シーンの他に、イベントの種類、撮影機器（カメラのメーカーやモデル等）、撮影レンズ（望遠レンズ、ズームレンズ、広角レンズ等の種類等）及び主被写体の属性等のことを指し、図５においては撮影日、撮影場所及び撮影シーンのみを示している。なお、主被写体の属性とは、主被写体である人や物の数、主被写体である特定の人物や物等のことである。
【００１３】
この画像に関する情報は、例えばパソコン等で画像の編集を行っているときに付加することができる。また、撮影日時は計時装置を備えたカメラで撮影された場合には撮影時に付加される。同様に、撮影位置（撮影場所）はＧＰＳモジュールを備えたカメラで撮影された場合、撮影シーンは撮影シーン認識や選択機能を備えたカメラにより撮影された場合、撮影時に付加される。撮影機器や撮影レンズもこれらの情報を付加することができるカメラにより撮影された場合には撮影時に付加される。
【００１４】
また、図５に示す画像Ａ〜Ｊ（ＬＣＤパネル６に表示可能な画像）に関する情報は、情報管理部４０に記憶され、管理されている。即ち、ＣＰＵ３０は、予め設定されている所定期間毎に、ＬＣＤパネル６に表示可能な画像をすべて抽出し、抽出された画像それぞれの情報（タグデータ）を取得し、情報管理部４０に記憶されている画像に関する情報から新たに取得した画像に関する情報への書換え、即ち情報の更新を行う。また、ＣＰＵ３０は、例えば、内部メモリ３４に記憶されている画像またはＷｅｂサーバ４８に蓄積されている画像の削除または追加、メモリカードスロット１６へのメモリカードの挿入または取外し、Ｗｅｂサーバ４８への接続または切断等、ＬＣＤパネル６に表示可能な画像が変更されたときにも、画像に関する情報の更新を行う。
【００１５】
次に、ＣＰＵ３０は、ステップＳ１１において抽出された画像Ａ〜Ｊを、情報管理部４０に記憶されている画像Ａ〜Ｊに関する情報に基づいてグループ化する（ステップＳ１２）。即ち、ステップＳ１０において観賞者により「撮影日時（古い→新しい）」が選択されているので、ＣＰＵ３０は、撮影日が同じ画像を抽出し、例えば図６に示すように、６月１日に撮影された画像Ａ〜ＥをグループＧ１、６月２日に撮影された画像Ｆ〜ＩをグループＧ２、６月３日に撮影された画像ＪをグループＧ３にグループ化する。
【００１６】
次に、ＣＰＵ３０は、内部メモリ３４に記憶されている画像Ａ〜Ｊに関する情報に基づいて画像Ａ〜ＪのＬＣＤパネル６に表示される順序（表示するグループの順序と各グループ内の画像の表示順序）を設定する（ステップＳ１３）。即ち、「撮影日時（古い→新しい）」が選択されているので、撮影日時が古い画像から順にＬＣＤパネル６に表示することを決定する。この実施の形態においては、画像Ａ，Ｂ，Ｃ，Ｄ，Ｅ，Ｆ，Ｇ，Ｈ，Ｉ，Ｊの順で撮影日時が古い。従って、ＣＰＵ３０は、グループＧ１，Ｇ２，Ｇ３の順序で、そして、画像Ａ，Ｂ，Ｃ，Ｄ，Ｅ，Ｆ，Ｇ，Ｈ，Ｉ，Ｊの順序でＬＣＤパネル６に表示することを決定する。
【００１７】
次に、ＣＰＵ３０は、スライドショーを実施する（ステップＳ１４）。即ち、画像Ａを最初にＬＣＤパネル６に表示し、予め設定されている所定時間間隔で画像Ｂ〜Ｊを順次ＬＣＤパネル６に表示する。
【００１８】
ところで、ＣＰＵ３０は、スライドショーを実施している間に、観賞者により操作キー１４を介して、「次のグループへのスキップ」の指示を認識すると、現在表示している画像が属するグループ内の画像の表示を中止し、次のグループ内の画像の表示を開始する。例えば、図７に示すようにグループＧ１の画像ＢがＬＣＤパネル６に表示されているときに、「次のグループへのスキップ」の指示がなされると、グループＧ１内の画像Ｃ〜Ｅの表示を中止し、図８に示すように次のグループＧ２内の画像Ｆを表示する。そして、所定時間間隔でグループＧ２内の画像Ｆ〜Ｉ、グループＧ３内の画像Ｊを順次表示する。
【００１９】
同様に、ＣＰＵ３０は、例えば、グループＧ２内の画像が表示されているときに、「前のグループへのスキップ」の指示がなされると、グループＧ２内の画像の表示を中止し、前のグループＧ１内の画像Ａを表示し、画像ＡからステップＳ１３で設定された表示順序にしたがって所定時間間隔で画像Ｂ〜Ｊを順次表示する。
【００２０】
次に、観賞者が図４に示すメニュー画面から「撮影場所」を選択した場合について説明する。ＣＰＵ３０は、上述のように、ＬＣＤパネル６に表示可能な画像Ａ〜Ｊを抽出し、例えば図９に示すように、パリで撮影された画像Ａ〜ＣをグループＰ１、ＮＹ（ニューヨーク）で撮影された画像Ｄ〜ＧをグループＰ２、東京で撮影された画像Ｈ〜ＪをグループＰ３にグループ化する。
【００２１】
次に、ＣＰＵ３０は、グループＰ１〜Ｐ３の表示順序を設定する。この実施の形態においては、グループＰ１〜Ｐ３内の画像Ａ〜Ｊの中で画像Ａの撮影日時が最も古いため、画像Ａが属するグループＰ１内の画像が最初に表示される。同様に、グループＰ２及びＰ３内の画像Ｄ〜Ｊを比較したとき、画像Ｄの撮影日時が最も古いため、画像Ｄが属するグループＰ２内の画像が次に表示され、最後にグループＰ３内の画像が表示される。次に、グループＰ１内の画像Ａ〜Ｃ、グループＰ２内の画像Ｄ〜Ｇ及びグループＰ３内の画像Ｈ〜Ｊを撮影日時が古い順にＬＣＤパネル６に表示することを決定する。その結果、グループＰ１，Ｐ２，Ｐ３の順序で、そして、画像Ａ，Ｂ，Ｃ，Ｄ，Ｅ，Ｆ，Ｇ，Ｈ，Ｉ，Ｊの順序でＬＣＤパネル６に表示することが決定される。次に、ＣＰＵ３０は、スライドショーを実施する。グループの表示順序は撮影日時の古い順でなく、その他の条件によって表示順序を設定してもよい。各グループ内の画像の表示順序の設定も同様である。
【００２２】
図１０は、撮影場所によりグループ化されてスライドショーが行われる際に、最初にＬＣＤパネル６に表示される画像Ａを示す図である。図１０に示すように、ＬＣＤパネル６の画面の右側に撮影場所一覧表５０が表示される。一覧表５０の撮影場所に付いている番号は、表示順序を示している。即ち、パリ、ＮＹ、東京の順に画像が表示される。また、囲み線により囲まれている撮影場所は、現在ＬＣＤパネル６に表示されている画像の撮影場所を示している。即ち、画像Ａの撮影場所はパリである。なお、囲み線に限らず、太字、網掛け等を用いて現在表示されている画像の撮影場所を示すこともできる。
【００２３】
ＣＰＵ３０は、例えば図１０に示すようにグループＰ１の画像ＡがＬＣＤパネル６に表示されているときに、「次のグループへのスキップ」の指示がなされると、グループＰ１内の画像の表示を中止し、図１１に示すように次のグループＰ２内の画像Ｄを表示し、一覧表５０のＮＹが囲み線により囲まれる。そして、画像Ｄから所定時間間隔で画像Ｅ〜Ｊを順次表示する。同様に、ＣＰＵ３０は、例えばグループＰ２内の画像が表示されているときに、「前のグループへのスキップ」の指示がなされると、グループＰ２内の画像の表示を中止し、前のグループＰ１内の画像Ａを表示し、画像Ａから所定時間間隔で画像Ｂ〜Ｊを順次表示する。
【００２４】
また、観賞者が図４に示すメニュー画面から「撮影時間」や「撮影場所」以外の「撮影シーン」や「撮影カメラ」を選択した場合においても、ＣＰＵ３０は、上述のように、ＬＣＤパネル６に表示可能な画像Ａ〜Ｊを抽出し、抽出された画像Ａ〜Ｊをグループ化する。例えば「撮影シーン」が選択された場合には、図１２に示すように、風景画像Ａ，Ｆ，Ｇ，Ｉ，ＪはグループＳ１、人物画像Ｂ，Ｅ，ＨはグループＳ２、夜景画像Ｃ，ＤはグループＳ３にグループ化される。この場合においても、グループＳ１〜Ｓ３の表示順序、及び各画像Ａ〜Ｊの表示順序を撮影日時にしたがって設定し、設定された表示順序（画像Ａ，Ｆ，Ｇ，Ｉ，Ｊ，Ｂ，Ｅ，Ｈ，Ｃ，Ｄの順）に従ってＬＣＤパネル６に表示され、ＬＣＤパネル６の画面の右側に撮影シーン一覧表が表示される。なお、図４に示すメニュー画面から「ランダム」を選択した場合には、ＣＰＵ３０は、ＬＣＤパネル６に表示可能な画像Ａ〜Ｊを抽出し、抽出された画像Ａ〜Ｊをグループ化することなく、表示順序を設定することもなく、ＬＣＤパネル６にランダムに表示させていく。
【００２５】
また、図４に示すメニュー以外にも、例えばイベントの種類（旅行、行事等）、撮影レンズ（望遠レンズ、ズームレンズ、広角レンズ等の種類等）及び主被写体の属性等を選択肢に加え、これらの情報に基づいてグループ化し、表示することもできる。また、撮影日時、撮影場所、撮影シーン、イベントの種類、撮影機器、撮影レンズ及び主被写体の属性等の少なくとも２つを組み合わせた条件でグループ化し、表示することもできる。また、グループ化し、撮影日時にしたがって表示順序を設定しているが、グループ化し、画像枚数の多い（または少ない）グループの画像から、または撮影日時が古く（または新しく）かつ画像枚数の多い（または少ない）グループの画像から表示するように設定することもできる。
【００２６】
また、グループ化の履歴を内部メモリ３４に記憶させておき、グループ化の履歴に従って画像をグループ化することもできる。具体的には、撮影場所に基づいてグループ化され、パリ、ＮＹ、東京の順序で表示がなされた履歴が記憶されている場合、東京で撮影された画像の撮影日時が新しく、画像枚数が多いとしても、履歴に従い、パリ、ＮＹ、東京の順序で表示を行う。この場合には、前回表示された順序と同じ順序で表示がなされるため、違和感なく画像を観賞することができる。
【００２７】
また、画像に関する情報の更新履歴を内部メモリ３４に記憶させておき、更新履歴から新規追加された画像を抽出し、新規追加された画像のみをグループ化し、表示することもできる。この場合には、新規の画像を即座に観賞することができる。
【００２８】
第１の実施の形態に係るＤＰＦ２によれば、記憶されている記憶装置（内部メモリ３４、メモリカード１６ａ、Ｗｅｂサーバ４８）に関係なく、ＬＣＤパネル６に表示可能な画像を全部スライドショーにより表示することができる。また、観賞者の指示に従い撮影日時等、画像に関する情報に基づいて画像を表示することができるため、所望の表示順序でスライドショーを実施することができる。更に、画像がグループ化されるため、観賞者任意の画像グループ単位に画像を観賞することができる。更に、画像がグループ化されるため、観賞者の指示に従いグループ単位で画像をスキップさせることができ、所望の画像グループを簡易な操作で即座に観賞することができる。
【００２９】
なお、第１の実施の形態においては、ＬＣＤパネル６に表示可能な画像を抽出し、画像に関する情報に基づいて画像をグループ化し、かつ画像の表示順序を決定しているが、観賞者が任意で画像を抽出し、グループ化し、表示順序を決定することもできる。例えば、表示可能な画像の一覧（縮小画像一覧）をＬＣＤパネル６上に表示し、観賞者が任意で画像を抽出し、グループを作成する。そして、作成したすべてまたは一部のグループの画像をスライドショーでＬＣＤパネル６に表示する。この場合には、観賞者が観たい画像を簡易な操作で即座に観賞することができる。
【００３０】
また、第１の実施の形態においては、各グループ内の画像の枚数が異なっている状態でスライドショーを行っているが、各グループ内の画像の枚数が大きく異なっている場合には、各グループ内の画像の枚数を略同一にする処理を行うようにしてもよい。画像枚数の少ないグループの枚数に合わせる場合、他のグループの画像枚数を減少させる処理、例えば古い画像をグループから除外する処理を行う。また、画像枚数の多いグループの枚数に合わせる場合、他のグループの画像枚数を増大させる処理、例えば他のＷｅｂサーバから画像をタウンロードする等の処理を行う。この場合には、各グループの画像枚数を略同一にすることにより各グループの画像表示時間を略同一にすることができる。また、画像１枚当りの表示時間を変えて、各グループの画像表示時間を略同一にする方法もある。
【００３１】
次に、図面を参照して、本発明の第２の実施の形態に係るＤＰＦについて説明する。なお、第２の実施の形態に係るＤＰＦの外観及びシステム構成は、図１及び図２に示すＤＰＦ２の外観及びシステム構成と同様であるため、詳細な説明を省略する。また、第２の実施の形態に係るＤＰＦにおいては、第１の実施の形態に係るＤＰＦ２の構成と同一の構成には同一の符号を用いて説明を行う。
【００３２】
図１３は、第２の実施の形態に係るＤＰＦ２においてスライドショーが行われる際の処理について説明するためのフローチャートである。まず、ＣＰＵ３０は、観賞者により操作キー１４を介してスライドショーの実施、及び図４に示すメニュー画面から「ランダム」が選択されたことを認識すると、ＬＣＤパネル６に表示可能な画像Ａ〜Ｊを抽出し、ＬＣＤパネル６にランダムに画像Ａ〜Ｊを表示させることによりスライドショーを実施する（ステップＳ２０）。
【００３３】
次に、ＣＰＵ３０は、ランダムにスライドショーを実施している間に、観賞者により操作キー１４を介して、「グループ化の変更」の指示を認識すると（ステップＳ２１）、図４に示すメニュー画面を表示する（ステップＳ２２）。ここで、観賞者からなされる「グループ化の変更」の指示とは、例えば、ランダムに表示されていた画像の中から興味のある画像が表示されたとき、その画像に関連した他の画像をいっしょに観賞するために、その画像及び関連した画像をグループ化し、ＬＣＤパネル６に表示するよう指示するものである。
【００３４】
例えば、図６に示す画像Ｇ（６月２日にＮＹで撮影された風景画像）がスライドショーで表示されたときに、観賞者が「グループ化の変更」を指示したとする。そして、観賞者は、画像Ｇの撮影場所であるＮＹに興味を示し、ＮＹで撮影された他の画像を観賞したいと望んでいたとする。このとき、ステップＳ２２においてＬＣＤパネル６に表示されたメニュー画面から、撮影場所が選択される。次に、ＣＰＵ３０は、ＬＣＤパネル６に表示可能な画像Ａ〜Ｊから、撮影場所がＮＹの画像を選択し、選択された画像Ｄ，Ｅ，Ｆ，Ｇをグループ化する（ステップＳ２３）。次に、ＣＰＵ３０は、撮影日時が古い画像から順に、即ち画像Ｄ，Ｅ，Ｆ，Ｇの順にＬＣＤパネル６に表示するよう設定（グループ内の表示順序の設定）する（ステップＳ２４）。そして、ステップＳ２４において設定した順序で撮影場所ＮＹの画像のスライドショーを実施する（ステップＳ２５）。
【００３５】
ステップＳ２５におけるスライドショーが終了した後、即ち画像Ｄ，Ｅ，Ｆ，ＧのＬＣＤパネル６への表示が終了した後、ＣＰＵ３０は、観賞者により「グループ化の変更」の指示がなされる前の状態、即ちランダムに画像Ａ〜Ｊを表示することによるスライドショーに戻る処理を行う（ステップＳ２６）。
【００３６】
この第２の実施の形態に係るＤＰＦ２によれば、スライドショーを実施している間に興味ある画像を発見した場合、その興味ある画像に関連した画像をグループ化することができ、グループ化された関連ある画像を即座に観賞することができる。
【００３７】
なお、第２の実施の形態においては、最初にランダムに画像を表示させることによるスライドショーを行っているが、グループ化された画像を表示させることによるスライドショーを行うこともできる。また、「グループ化の変更」の指示がなされたとき、表示されていた画像Ｇと同一の撮影場所ＮＹで撮影された画像のみをグループ化しているが、その他のパリ及び東京で撮影された画像をグループ化してもよい。そして、ＮＹで撮影された画像のスライドショーが終了した後、ランダムに画像を表示させることによるスライドショーに戻らずに、パリ及び東京で撮影された画像をグループ毎にスライドショーするようにしてもよい。
【００３８】
なお、上述の各実施の形態においては、「次のグループへのスキップ」、「前のグループへのスキップ」または「グループ化の変更」の指示が操作キー１４の操作によりなされているが、ＬＣＤパネル６上にタッチパネルを備え、タッチパネルにより指示がなされるようにすることもできる。また、操作用リモコンを用いて指示がなされるようにすることもできる。
【００３９】
また、上述の各実施の形態においては、内部メモリ３４に記憶されている画像、メモリカード１６ｂに記憶されている画像、Ｗｅｂサーバ４８に蓄積されている画像を例に挙げて説明したが、ＵＳＢポート１８に接続されたＵＳＢメモリに記憶されている画像、ＵＢＳポート１８に接続されたパソコン内に保存されている画像等、さまざまな記憶装置に記憶されている画像を用いてスライドショーを行うことができる。また、Ｗｅｂサーバ４８に蓄積されている画像の読み込みは時間を要する場合があるため、内部メモリ３４の記憶容量に余裕がある場合にはＷｅｂサーバ４８に蓄積されている画像を予めダウンロードしておくとよい。また、インターネットを介して画像共有サイト等に保存された画像を抽出することもできる。この場合には、自己と他人が同一の条件（撮影場所、イベントの種類、撮影カメラや撮影レンズ）で撮影した画像をグループ化し、ＬＣＤパネル６に表示させることができるため、自己と他人が撮影した画像を比較しつつスライドショーを楽しむことができる。
【図面の簡単な説明】
【００４０】
【図１】第１の実施の形態に係るデジタルフォトフレームの外観を示す斜視図である。
【図２】第１の実施の形態に係るデジタルフォトフレームのシステム構成を示すブロック図である。
【図３】第１の実施の形態に係るデジタルフォトフレームにおいてスライドショーが行われる際の処理について説明するためのフローチャートである。
【図４】スライドショーが実施される前に表示されるメニュー画面を示す図である。
【図５】ＬＣＤパネルに表示可能な画像の一覧を示す図である。
【図６】ＬＣＤパネルに表示可能な画像が撮影日に基づいてグループ化された状態を示す図である。
【図７】次のグループへのスキップの指示がなされたときにＬＣＤパネルに表示されていた画像を示す図である。
【図８】次のグループへのスキップの指示にしたがってＬＣＤパネルに表示された画像を示す図である。
【図９】ＬＣＤパネルに表示可能な画像が撮影場所に基づいてグループ化された状態を示す図である。
【図１０】撮影場所に基づいてグループ化されてスライドショーが実施された際に最初にＬＣＤパネルに表示される画像を示す図である。
【図１１】次のグループへのスキップの指示にしたがってＬＣＤパネルに表示された画像を示す図である。
【図１２】ＬＣＤパネルに表示可能な画像が撮影シーンに基づいてグループ化された状態を示す図である。
【図１３】第２の実施の形態に係るデジタルフォトフレームにおいてスライドショーが行われる際の処理について説明するためのフローチャートである。
【符号の説明】
【００４１】
２…デジタルフォトフレーム（ＤＰＦ）、４…装置本体、６…ＬＣＤパネル、１４…操作キー、１６…メモリカードスロット、３０…ＣＰＵ、３２…バッファメモリ、３４…内部メモリ、４０…情報管理部、４８…Ｗｅｂサーバ。
【図１】
2010021691.tif 000003
【図２】
2010021691.tif 000004
【図３】
2010021691.tif 000005
【図４】
2010021691.tif 000006
【図５】
2010021691.tif 000007
【図６】
2010021691.tif 000008
【図７】
2010021691.tif 000009
【図８】
2010021691.tif 000010
【図９】
2010021691.tif 000011
【図１０】
2010021691.tif 000012
【図１１】
2010021691.tif 000013
【図１２】
2010021691.tif 000014
【図１３】
2010021691.tif 000015